(57)【要約】      （修正有）【課題】お風呂で使用後、乾燥させることが簡単でありまた、いつでも、どこでも読むことが可能な絵本を提供する。【解決手段】バスマガジン１は、それぞれＰＰ（ポリプロピレン）素材からなり、比重が０．６〜０．８の耐水性を備えた２枚の外側片１１，１２と内側片とからなる。また、外側片１１，１２は角に丸みをもつ四角形状を呈し、内側片は所定の長さを有する長尺で両側２１ａ，２１ｂが超音波加工により複数個所にわたって接着されているとともに所定の間隔で形成された折り曲げ部２２ａ，２２ｂ，２２ｃ，２２ｄ，２２ｅにより内面側にページ２３ａ，２３ｂ，２３ｃ，２３ｄと外面側に内側面の各ページに対応したページが形成され、蛇腹状に折り畳み且つ展開可能に形成する。【選択図】図３
0003154438.tif 000002
【実用新案登録請求の範囲】
【請求項１】
基材の比重が０．６〜０．８の耐水性を備えた角に丸みをもつ形状の２枚の外側片と内側片から構成され、内側片は外側片より少し小さ目の大きさの蛇腹構造からなり、内側片の両端に外側片が超音波加工により接着されたことを特徴とするバスマガジン。
【考案の詳細な説明】
【技術分野】
【０００１】
本考案は、お風呂及びお風呂以外で使用する幼児用絵本に関する。
【背景技術】
【０００２】
従来より、お風呂の中で使用することができる絵本が開発されている。
【０００３】
特許文献１には、穴の開いた複数枚の耐水性のシートをリングにて着脱自在に係止した絵本があった。また、特許文献２には、耐水性と水面に浮きで出すに必要な浮力を備えた絵本があった。
【先行技術文献】
【特許文献】
【０００４】
【特許文献１】実開平６−８６７９８
【特許文献２】特開平９−１８３２７８
【考案の概要】
【考案が解決しようとする課題】
【０００５】
しかしながら、特許文献１において開示されている絵本では、お風呂で使用後乾燥させようとした時、リングを外すという手間がかかり不便であった。また、特許文献２において開示されている絵本では、お風呂で使用後乾燥させにくく不便であった。尚且つ、共通の内容として（１）絵柄（絵本）が少ない（２）めくりにくい（３）分厚い（４）かさばる（５）持ち運びにくい為、お風呂でしか読めないという制限があった。
【０００６】
本考案は、上記の課題を解決しようとするものである。
【課題を解決するための手段】
【０００７】
本考案は、基材の比重が０．６〜０．８の耐水性を備えた角に丸みをもつ形状の２枚の外側片と内側片から構成され、内側片は外側片より少し小さ目の大きさの蛇腹構造からなり、内側片の両端に外側片が超音波加工により接着されたことを特徴とするバスマガジンである。
【考案の効果】
【０００８】
このように、本考案によれば、お風呂で使用後広げて干すことができ、便利である。
またお風呂以外で読むことができるように（１）絵柄（絵本）のページ数が多く（２）めくりやすく（３）薄く（４）かさばらなく（５）持ち運びやすくすることが可能となりいつでも、どこでも、読むことができる。
【図面の簡単な説明】
【０００９】
【図１】本考案の実施形態を示す折り畳んだ状態の平面図。
【図２】図１におけるＩ−Ｉの断面図。
【図３】本考案の実施形態を示す広げた状態の斜視図。
【考案を実施するための形態】
【００１０】
以下、本考案の実施例を図を引用して説明する。
【００１１】
図１は、本考案の実施形態を示す折り畳んだ状態の平面図、図２は、図１におけるＩ−Ｉの断面図、図３は、本考案の実施形態を示す広げた状態の斜視図である。
【００１２】
外側片１と内側片２は、ＰＰ（ポリプロピレン）素材からなり、外側片１と内側片２は、超音波加工により複数個所にわたって接着３される。外側片１にはタイトル及びキャラクターの絵が印刷され、内側片にはキャラクターの絵や物語が印刷される。
【符号の説明】
【００１３】
１  外側片
２  内側片
３  接着
【図１】
0003154438.tif 000003
【図２】
0003154438.tif 000004
【図３】
0003154438.tif 000005
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
比重が０．６〜０．８の耐水性を備えた基材により形成された角に丸みをもつ形状の２枚の外側片と、前記２枚の外側片の両側片に両端が超音波加工により接着された長尺の内側片とからなり、前記内側片は前記外側片より少し小さ目の大きさの複数のページを形成するように且つ折り畳み可能な蛇腹構造であることを特徴とするバスマガジン。
【手続補正２】
【補正対象書類名】明細書
【補正対象項目名】全文
【補正方法】変更
【補正の内容】
【考案の詳細な説明】
【技術分野】
【０００１】  本考案は、主としてお風呂で使用するバスマガジン、特に幼児用の絵本に適したバスマガジンに関する。
【背景技術】
【０００２】  従来より、お風呂の中で使用することができる絵本が開発されており、例えば実開平６−８６７９８号公報（特許文献１）、特開平９−１８３２７８号公報（特許文献２）等に提示されている。【０００３】  前記特許文献１には、穴の開いた複数枚の耐水性のシートをリングにて着脱自在に係止した絵本が、また、特許文献２には、耐水性を有するとともに水面に浮き出すのに必要な浮力を備えた絵本が提示されている。
【先行技術文献】
【特許文献】
【０００４】
【特許文献１】  実開平６−８６７９８号公報
【特許文献２】  特開平９−１８３２７８号公報
【考案の概要】
【考察が解決しょうとする課題】
【０００５】  しかしながら、特許文献１において開示されている絵本は、お風呂で使用した後に、リングを外して複数枚の耐水性のシートをバラして乾燥させる必要があり、手間がかかり不便であった。また、特許文献２において開示されている絵本では、お風呂で使用した後に乾燥させにくく不便であった。尚且つ、何れの絵本もお風呂において使用することを目的としていることから（１）シートの枚数が少なく絵柄の数が少ない（２）めくりにくい（３）分厚い（４）かさばる（５）持ち運びにくい、という欠点があり、お風呂でしか読めないという制限があった。
【０００６】  本考案は、上記の課題を解決しようとするものである。
【課題を解決するための手段】
【０００７】  上記課題を解決するためになされた本考案であるバスマガジンは、比重が０．６〜０．８の耐水性を備えた基材により形成された角に丸みをもつ形状の２枚の外側片と、前記２枚の外側片の両側片に両端が超音波加工により接着された長尺の内側片とからなり、前記内側片は前記外側片より少し小さ目の大きさの複数のページを形成するように且つ折り畳み可能な蛇腹構造であることを特徴とする。
【考案の効果】
【０００８】  このように、本考案によれば、お風呂で使用後広げて干すことができ、便利である。また、お風呂以外で読むことができるように（１）ページ数が多く（２）めくりやすく（３）薄く（４）かさばらなく（５）持ち運びやすくすることが可能となりお風呂での使用に適しているだけでなくいつでも、どこでも、読むことができる。
【図面の簡単な説明】
【０００９】
【図１】  本考案の実施形態を示す折り畳んだ状態の平面図。
【図２】  図１におけるＩ−Ｉの拡大断面図。
【図３】  図１に示した本考案の実施形態を示す内面側を広げた状態の斜視図。
【図４】  図１に示した本考案の実施形態を示す外面側を広げた状態の斜視図。
【図５】  図１に示した本考案の実施形態おける正面側から使用する場合の使用状態を（Ａ）（Ｂ）（Ｃ）の順に各ページごとに示した説明図。
【考案を実施するための形態】
【００１０】  以下、本考案の実施の形態を図面を参照して説明する。
【００１１】  図１は、本考案の実施形態を示す折り畳んだ状態の平面図、図２は図１におけるＩ−Ｉの断面図、図３および図４は本考案の実施形態を示す外側および内側から広げた状態の斜視図、第５図は本考案の実施形態における使用状態を示す説明図である。
【００１２】  本実施の形態であるバスマガジン１は、それぞれＰＰ（ポリプロピレン）素材からなり、比重が０．６〜０．８の耐水性を備えた２枚の外側片１１，１２と内側片２とからなる。
【００１３】  また、外側片１１，１２は角に丸みをもつ四角形状を呈し、内側片２は所定の長さを有する長尺で両側２１ａ，２１ｂが超音波加工により複数個所にわたって接着されているとともに所定の間隔で形成された折り曲げ部２２ａ，２２ｂ，２２ｃ，２２ｄ，２２ｅにより内面側にページ２３ａ，２３ｂ，２３ｃ，２３ｄと外面側にページ２４ａ，２４ｂ，２４ｃ，２４ｄが形成され、前記図１および図２に示したように蛇腹状に折り畳み且つ展開可能に形成されている。
尚、前記内側片に形成される各ページ２３ａ，２３ｂ，２３ｃ，２３ｄ，２４ａ，２４ｂ，２４ｃ，２４ｄは前記外側片１１，１２よりも少し小さめの大きさである。
【００１４】  そして、前記外側片１１，１２の外面にはタイトル及びキャラクターの絵が印刷され、内側片には各ページ２３ａ，２３ｂ，２３ｃ，２４ｄにキャラクターの絵や物語が印刷される。
【００１５】  本実施の形態は通常は前記図１および図２に示した状態として、読むときには図５に示すように、内側から各ページ２３ａ，２３ｂ，２３ｃ，２３ｄを開いて使用する。また、同様にして外側から各ページ２４ａ，２４ｂ，２４ｃ，２４ｄを開いて使用することもできる（図示せず）。
【００１６】  また、乾燥させるときは図３および図４に示すように展開する。
【符号の説明】
【００１７】  １  バスマガジン
２  内側片
１１、１２  外側片
２１ａ、２１ｂ  両側
２２ａ、２２ｂ、２２ｃ、２２ｄ、２２ｅ  折り曲げ部
２３ａ、２３ｂ、２３ｃ、２３ｄ、２４ａ、２４ｂ、２４ｃ、２４ｄ  ページ
【手続補正３】
【補正対象書類名】図面
【補正対象項目名】全図
【補正方法】変更
【補正の内容】
【図１】
0003154438.tif 000006
【図２】
0003154438.tif 000007
【図３】
0003154438.tif 000008
【図４】
0003154438.tif 000009
【図５】
0003154438.tif 000010